(57)【要約】  本発明は、その柔軟性によってさまざまな鼻のサイズと型に適応できるように適合性を高める能力があり、マスク翼部の圧力に基づいて一切の紐なしに着用することができ、マグネットを用いているためにマスクが鼻に沿って滑り落ちることがなく、銀、トルマリンなどを排出する能力のある特定の鉱物材料が鼻マスクに加えられており、かくして該添加物質により抗菌、脱臭効果及びアニオン生成効果を実現するアニオン排出・抗塵鼻マスクに関するものである。
2007520252.tif 000002
【特許請求の範囲】
【請求項１】
鼻マスクの範疇において、下記を具備するアニオン排出・抗塵鼻マスク。
鼻端部と上唇の中間部分との間に装着される支持フレームであって、該支持フレームの両側がほぼ中央で屈曲されているため、それによって鼻孔が覆われ、該支持フレームの両端が一方向に屈曲されて鼻奥と緊密に接触することを特徴とし、かつ該支持フレームが翼部を有することを特徴とする支持フレームと、
該支持フレームと組み合わされ、鼻を介して吸い込まれる空気を浄化するためのナノファイバでできており、銀繊維、トルマリン粒子などの特定の健康補助材を貯蔵するための微細孔付きの受けポケットを持つフィルター部と、
該支持フレームと該フィルター部の組み合わせ体がしっかりと鼻に装着できるように鼻孔間の鼻孔壁周囲に挿入される半環部を含む定着部と、
半環部の両端から下向き楕円形に湾曲して鼻深部の側面下部と接触し、それによって係合される湾曲部と、
湾曲部の両端から延出し、水平に半環部の方向に延び、溝部に連結される連結部と、
該連結部の両端で長方形に形成される溝部と、
該支持フレーム固定用の該溝部に装着されるマグネット。
該定着部は銀などでできている。
【請求項２】
請求項１のマスクであって、その表面に微細孔を持つ補助容器、該定着部の湾曲部に挿入または装着されるトルマリン原石またはトルマリンセラミックボールをさらに具備することを特徴とするマスク。
【請求項３】
請求項１または２のマスクであって、該支持フレーム両側の翼部が折りたたまれ、ヒンジ機能を持ち、それによって圧力調節機能が強化されるように当該支持フレームの翼部が設計されることを特徴とするマスク。
【請求項４】
請求項１または請求項２の鼻マスクにおいて、フィルター本体（支持フレーム及びフィルター部）から独立して分離されることを特徴とする定着部。
【発明の詳細な説明】
【技術分野】
【０００１】
本発明は、その柔軟性によってさまざまな鼻のサイズと型に適応できるように適合性を高める能力があり、マスク翼部の圧力に基づいて一切の紐なしに着用することができ、マグネットを用いているためにマスクが鼻に沿って滑り落ちることがない鼻マスクに関するものであって、特定の鉱物、銀、トルマリンなどをかかる鼻マスクに加えることによって抗菌、脱臭効果及びアニオン生成効果を実現するアニオン排出・抗塵鼻マスクに関するものである。
【背景技術】
【０００２】
一般に、花粉、黄砂、細菌などの有害粉塵が鼻に入ることを防止する能力のあるさまざまな種類のマスクが使用されている。
【０００３】
しかし、従来のマスクは、その外観を考慮することなしに特定の均一なサイズで製造されているため人目を引き、人々はその使用を好まない。 マスク装着手段としては、ヘアバンドあるいは耳掛け型紐が一般に使用されるが、それらには使用上の問題がある。それは、浄化されていない空気がマスクのギャップを介して入るという問題である。 また、かかるマスクではユーザの口が覆われてしまうために他者と話すことが不可能であるという問題もある。
【０００４】
韓国実用新案出願番号１９９９-００２７７１９（名称：補助材用挿入溝付き鼻マスク）によれば、上記問題を打開する能力のある鼻マスクが作り出されている。
【０００５】
図１は従来の抗塵鼻マスクの図である。同図に示されるように、かかるマスクの外部構造は、４面（右面１、前面２、左面３及び部分的に開いた下面４）からなり、下面４と平行する壁５は、４面によって連結された内部空間に嵌入されている。 また、フィルターまたは香料を挿入できるような溝が形成されている。
【０００６】
しかし、鼻マスクＡでは、口部が露出されるので話すことが可能であり、取り囲んでいる縁部のギャップを絶つことも可能である。ただし柔軟性及び弾性を調節するための機能はない。 すなわち、固定式の構造が提供されており、ユーザの種々の形状及びサイズに適応することは不可能である。 かかる鼻マスクは、鼻のサイズによっては容易に鼻から脱落し得る。 また、鼻マスクＡは鼻全体を覆うので着用感が良くなく、その外観も悪い。
【０００７】
加えて、鼻マスクＡが鼻から脱落することを防止するために特定の吸着帯が使用される場合、湿気のためにその吸着力が失われる可能性があり、その結果、かかる鼻マスクは鼻に沿って容易に滑り落ち得る。
【０００８】
その上、従来型の鼻マスクには、抗菌、脱臭、及びアニオン排出の機能がない。つまり、鼻マスクとしての簡単な機能があるのみである。
【発明の開示】
【発明が解決しようとする課題】
【０００９】
従って、従来型の鼻マスクの構造を変更し、或る程度の柔軟性をもたせた鼻マスクを提供することが本発明の目的である。
【課題を解決するための手段】
【００１０】
本発明に係る鼻マスクは、さまざまな鼻のサイズと型によく適応することができるので、それによって適合性が高められる。本鼻マスクの着用は容易である。 特定の空間を鼻入口と鼻マスク間に形成することによって容易に呼吸することを実現する。本鼻マスクは、張力調節機能に基づく本鼻マスクの張力によって鼻に沿って滑り落ちることがなく、滅菌機能も備えている。また、本鼻マスクはアニオン排出機能を有する。 具体的には、本発明に係る鼻マスクは、ナノファイバー、銀フィルター、及びトルマリンなどによる抗菌、脱臭、アニオン排出などの機能を有する。
【００１１】
上記目的を達成するため、鼻マスクの範疇において下記を具備するアニオン排出・抗塵鼻マスクを提供する。
【００１２】
鼻端部と上唇の中間部分との間に装着される支持フレームであって、該支持フレームの両側がほぼ中央で屈曲されているため、それによって鼻孔が覆われ、該支持フレームの両端が一方向に屈曲されて鼻奥と緊密に接触することを特徴とし、かつ該支持フレームが翼部を有することを特徴とする支持フレームと、該支持フレームと組み合わされ、鼻を介して入る空気を浄化するためのナノファイバでできており、微細孔を持ち、銀繊維、トルマリン粒子などの特定の健康補助材を貯蔵するための受けポケットを持つフィルター部と、該支持フレームと該フィルター部の組み合わせ体がしっかりと鼻に装着できるように鼻孔間の鼻孔壁周囲に挿入される半環部を含む定着部と、半環部の両端から下向き楕円形に湾曲して鼻深部の側面下部と接触し、それによって係合される湾曲部と、湾曲部の両端から延出し、水平に半環部の方向に延び、溝部に連結される連結部と、該連結部の両端で長方形に形成される溝部と、該支持フレーム固定用の該溝部に装着されるマグネット。
【００１３】
加えて、その中にトルマリン粒子などを受け入れるための補助容器、またはその表面に微細孔を持つこともその特徴とする、定着部の湾曲部に挿入または装着されるトルマリン原石またはセラミックボールもさらに設けるものとする。
【００１４】
該支持フレームの翼部は、該支持フレーム両側の翼部が折りたたまれ、ヒンジ機能を持ち、それによって圧力調節機能が強化されるように設計する。
【００１５】
本鼻マスクでは、該定着部をフィルター本体（支持フレーム及びフィルター部）から独立して分離することができ、該定着部は銀などでできており、トルマリンが該定着部に対して装着されることを特徴とする。
【発明を実施するための最良の形態】
【００１６】
以下に本発明に係るアニオン排出・抗塵鼻マスクを添付図面を参照して説明する。図２は、本発明に係るアニオン排出・抗塵鼻マスクの斜視図であり、図３は、アニオン排出・抗塵鼻マスクが本発明に従ってユーザの鼻に着用されている状態を示す図である。かかる図中に示すように、鼻マスク１０は、支持フレーム２０、フィルター部３０及び定着部４０からなる。
【００１７】
支持フレーム２０は、受けポケット３１を有するフィルター部３０のリムに付着させ、翼部は、フィルター部３０が特定の圧力で鼻上部に緊接できるように適切に屈曲させる。
【００１８】
この場合、支持フレーム２０は、特定の圧力に基づいて調節可能な柔軟性を有する鋼線、及び定着部のマグネットと吸着機能を有する該中央部の鋼線２３を持つ。 翼部２１は、圧力調節機能を高めるためのヒンジ２２の機能によって折りたたむことができる。 支持フレーム２０により特定サイズのリムが形成されるため、それによって鼻が覆われ、該鼻マスクを着用するときに支持フレーム２０の縁部はギャップを生じない。
【００１９】
フィルター部３０はナノファイバー不織布でできている。 受けポケット３１は、フィルター部３０に対して挿入または装着する。受けポケット３１は空気を通過させる複数の微細孔３２を持つ。 その微細孔３２の中に、銀繊維フィルターなどの健康補助材、及びトルマリンや芳香香料粒子を挿入して、抗菌、脱臭及びアニオン排出機能を実現する。
【００２０】
ここで、定着部４０を支持フレーム２０及びフィルター部３０と係合させ、それを鼻に装着する。 この定着部４０には、左右鼻孔間壁の周囲で鼻孔に挿入される半環部４１、半環部４１の両端から下向き楕円形に湾曲して鼻深部の側面下部と接触する湾曲部４２、及び連結部４３の両端で湾曲部４２の両端から正方形に形成される溝４４、及びマグネット４５を固定する溝４４に設置されるマグネット４５が含まれる。 このマグネット４５は該溝部から着脱可能である。
【００２１】
定着部４０の湾曲部４２には、トルマリン原石やセラミックボール、または微細孔５１を備える補助容器５０を設ける。該補助容器には、トルマリン粒子などの健康補助材が含有させる。
【００２２】
本発明に係る鼻マスクを、受けポケット３１を有するフィルター部３０が支持フレーム２０に係合された状態で用いる際、該鼻マスクは支持フレーム２０翼部２１の屈曲によって生じた圧力により、鼻奥によって支持される。この時点で、支持フレーム２０の上部分を鼻尖に位置決めする。 同部分の下側面は、上唇へこみの中間部分に位置決めする。
【００２３】
本発明では、支持フレーム２０の柔軟性及び圧力のために定着部４０がなくても本鼻マスクが鼻から滑り落ちることがなく、かくしてより容易に着用することができる。本鼻マスクを着用すると、鼻マスク１０と鼻入口間に特定の空間部が形成され、かくしてより容易に呼吸することができる。
【００２４】
具体的には、フィルター部３０と支持フレーム２０の組み合わせ体は、支持フレームの中心に設けられた鋼線２３及び定着部４０に設けられたマグネット４５によって安定的に装着され、かくしてより容易に使用することができる。すなわち、定着部４０は鼻孔に押し入れられ、左右鼻孔間の壁部には半環部４１が挿入され、湾曲部４２は鼻孔の下側面と接触する。溝４４に挿入された該マグネットは上唇の中間部分と緊密に接触し、したがって定着部４０は水平状態は維持され、フィルター部の支持フレーム２０の固定力は増強される。
【００２５】
定着部４０を鼻孔に挿入すると、受けポケット３０の下側面は上唇の中間部分に位置決めされ、上部側面は鼻尖に位置決めされる。翼部２１は、該圧力に基づいて鼻奥の両側面と緊密に接触する。加えて、図３に示すように、空間部が鼻入口とフィルター部３０間に形成される。
【００２６】
本発明では、激しい運動による振動のために、支持フレーム２０の茎体及びフィルター部３０が鼻に沿って滑り落ちることを防止することが可能である。加えて、定着部４０は鼻に挿入され、該定着部の大部分は外部に露出されない。また該定着部は、ワイヤ細工で形成されているため、それによって鼻内側の摩擦が減少されている。したがって、一切の痛覚なしに使用することが可能である。 該定着部は銀でできており、かくして抗菌機能が増強される。トルマリンを該定着部に対して取り付けることができ、その結果、アニオン排出効果を実現することが可能である。該フィルター部と該マグネットとが係合される前の状態では、該定着部を抗菌及びアニオン効果を有する独立した装置として使用することが可能である。
【００２７】
本発明では、受けポケット３０及び補助容器５０内に貯蔵される健康補助材、トルマリン及び芳香香料粒子などの銀繊維フィルターによって良好な効果を達成することが可能である。 また、その性能も優れている。健康補助材に優れた良好な健康機能があることは公知のことであるので、その詳細説明は本明細書では省略する。
【産業上の利用可能性】
【００２８】
上記のように本発明では、本発明に係る鼻マスクが、その支持フレームの柔軟性によって、さまざまな鼻のサイズと型によく適応することができるという適合性を実現することが可能である。 本鼻マスクの強度は、或る程度の圧力をかけることによって制御する。安定した吸着力は翼部によって高められる。 より容易な呼吸を確保するために、特定の空間を鼻の入口部に設ける。加えて、抗菌、脱臭、アニオン排出機能などの機能は、それらの機能のために加えられる物質によって得る。
【００２９】
本発明は、本発明の真の趣旨または基本的な特徴から逸脱することなくいくつかの形態で実施することができるので、別段の指定がない限り、上記の実施例が前述説明のいかなる詳細によっても限定されるものではなく、むしろ添付の特許請求の範囲において定義されるその真の趣旨及び範囲から逸脱することなく広義に解釈されるべきであり、したがって本特許請求の範囲内またはかかる範囲内と同等のすべての変更形態及び修正形態が添付の特許請求の範囲に包含されるべきであることが理解されるであろう。
【図面の簡単な説明】
【００３０】
【図１】従来型の鼻マスクの図。
【図２】本発明に係るアニオン排出・抗塵鼻マスクの斜視図。
【図３】アニオン排出・抗塵鼻マスクが本発明に従ってユーザの鼻に着用されている状態を示す図。
【図１】
2007520252.tif 000003
【図２】
2007520252.tif 000004
【図３】
2007520252.tif 000005
【手続補正書】
【提出日】平成18年6月1日(2006.6.1)
【手続補正１】
【補正対象書類名】特許請求の範囲
【補正対象項目名】全文
【補正方法】変更
【補正の内容】
【特許請求の範囲】
【請求項１】
鼻マスクの範疇において、下記を具備するアニオン放出・抗塵鼻マスク。
鼻端部と上唇の中間部分との間に装着される支持フレームであって、該支持フレームの両側がほぼ中央で屈曲されているため、それによって鼻孔が覆われ、該支持フレームの両端が一方向に屈曲されて鼻奥と緊密に接触することを特徴とし、かつ該支持フレームが翼部を有することを特徴とする支持フレームと、
該支持フレームと組み合わされ、鼻を介して吸い込まれる空気を浄化するためのナノファイバでできており、銀繊維、トルマリン粒子などの特定の健康補助材を貯蔵するための受けポケットを持つフィルター部と、
該支持フレームと該フィルター部の組み合わせ体がしっかりと鼻に装着できるように鼻孔間の鼻孔壁周囲に挿入される半環部を含む定着部と、
該半環部の両端から下向き楕円形に湾曲して鼻深部の側面下部と接触し、それによって係合される湾曲部と、
該湾曲部の両端から延出し、水平に半環部の方向に延び、溝部に連結される連結部と、
該連結部の両端で長方形に形成される溝部と、
該支持フレームを鼻に密着させて固定するための該溝部に装着されるマグネット。
【請求項２】
請求項１のマスクであって、トルマリンを始めとするアニオン物質、または該定着部の湾曲部に挿入または装着されるトルマリン原石またはトルマリンセラミックボールを始めとするボール型アニオン物質を受け入れる表面に微細孔を持つボール型トルマリン容器をさらに具備することを特徴とするマスク。
【請求項３】
請求項１または２のマスクであって、該支持フレーム両側の翼部がヒンジによって開閉され、それによって圧力調節機能が強化されるように当該支持フレームの翼部が設計されることを特徴とするマスク。
【請求項４】
請求項１または請求項２の鼻マスクにおいて、フィルター本体（支持フレーム及びフィルター部）から独立して分離されることを特徴とする定着部。
【手続補正２】
【補正対象書類名】明細書
【補正対象項目名】全文
【補正方法】変更
【補正の内容】
【発明の詳細な説明】
【技術分野】
【０００１】
本発明は、その柔軟性によってさまざまな鼻のサイズと型に適応できるように適合性を高める能力があり、マスク翼部の圧力に基づいて一切の紐なしに着用することができ、マグネットを用いているためにマスクが鼻に沿って滑り落ちることがなく、また光触媒及び、銀、トルマリンなどのアニオンを放出する能力のある特定の鉱物材料が鼻マスクに加えられており、かくして該添加物質により抗菌、脱臭効果及びアニオン生成効果を実現するアニオン放出・抗塵鼻マスクに関するものである。
【背景技術】
【０００２】
一般に、花粉、黄砂、細菌などの有害粉塵が鼻に入ることを防止する能力のあるさまざまな種類のマスクが使用されている。
【０００３】
しかし、従来のマスクは、その外観を考慮することなしに特定の均一なサイズで製造されているため人目を引き、人々はその使用を好まない。マスク装着手段としては、ヘアバンドあるいは耳掛け型紐が一般に使用されるが、それらのマスクには使用上の問題がある。それは、浄化されていない空気がマスクのギャップを介して入るという問題である。また、かかるマスクではユーザの口が覆われてしまうために他者と話すことが不可能であるという問題もある。
【０００４】
韓国実用新案出願番号１９９９-００２７７１９（名称：補助材用挿入溝付き鼻マスク）によれば、上記問題を打開する能力のある鼻マスクが作り出されている。
【０００５】
図１は従来の抗塵鼻マスクの図である。同図に示されるように、かかるマスクの外部構造は、４面（右面１、前面２、左面３及び部分的に開いた下面４）からなり、下面４と平行する壁５は、４面によって連結された内部空間に嵌入されている。また、フィルターまたは香料を挿入できるような溝が形成されている。
【０００６】
しかし、鼻マスクＡでは、口部が露出されるので話すことが可能であり、取り囲んでいる縁部のギャップを絶つことも可能である。ただし柔軟性及び弾性を調節するための機能はない。すなわち、固定式の構造が提供されており、ユーザの種々の形状及びサイズに適応することは不可能である。かかる鼻マスクは、鼻のサイズによっては容易に鼻から脱落し得る。また、鼻マスクＡは鼻全体を覆うので着用感が良くなく、その外観も悪い。
【０００７】
加えて、鼻マスクＡが鼻から脱落することを防止するために特定の吸着帯が使用される場合、湿気のためにその吸着力が失われる可能性があり、その場合、かかる鼻マスクは鼻に沿って容易に滑り落ちてしまう。
【０００８】
その上、従来型の鼻マスクには、抗菌、脱臭、及びアニオンを放出する機能が欠けている。つまり、鼻マスクとしての簡単な機能があるのみである。
【発明の開示】
【発明が解決しようとする課題】
【０００９】
従って、従来型の鼻マスクの構造を変更し、或る程度の柔軟性をもたせた鼻マスクを提供することが本発明の目的である。
【課題を解決するための手段】
【００１０】
本発明に係る鼻マスクは、さまざまな鼻のサイズと型によく適応することができるので、それによって適合性が高められる。本鼻マスクの着用は容易である。特定の空間を鼻入口と鼻マスク間に形成することによって容易な呼吸を実現する。本鼻マスクは、張力調節機能に基づく本鼻マスクの張力によって鼻に沿って滑り落ちることがなく、滅菌機能も備えている。また、本鼻マスクはアニオン放出機能を有する。具体的には、本発明に係る鼻マスクは、抗菌、脱臭、アニオン放出などの機能を有し、銀フィルター及び岩塩粒やトルマリンなどの物質を収容する能力のある容器が光触媒でコーティングされていることを特徴とする。
【００１１】
上記目的を達成するため、鼻マスクの範疇において下記を具備するアニオン放出・抗塵鼻マスクを提供する。
【００１２】
鼻端部と上唇の中間部分との間に装着される支持フレームであって、該支持フレームの両側がほぼ中央で屈曲されているため、それによって鼻孔が覆われ、該支持フレームの両端が一方向に屈曲されて鼻奥と緊密に接触することを特徴とし、かつ該支持フレームが翼部を有することを特徴とする支持フレームと、該支持フレームと組み合わされ、鼻を介して入る空気を浄化するためのナノファイバでできており、微細孔を持ち、銀繊維、トルマリン粒子などの特定の健康補助材を貯蔵するための受けポケットを持つフィルター部と、該支持フレームと該フィルター部の組み合わせ体がしっかりと鼻に装着できるように鼻孔間の鼻孔壁周囲に挿入される半環部を含む定着部と、該半環部の両端から下向き楕円形に湾曲して鼻深部の側面下部と接触し、それによって係合される湾曲部と、該湾曲部の両端から延出し、水平に半環部の方向に延び、溝部に連結される連結部と、該連結部の両端で長方形に形成される溝部と、該支持フレーム固定用の該溝部に装着されるマグネット。
【００１３】
加えて、トルマリン粒、またはトルマリン原石ボールやトルマリンセラミックボールなどをその中に受け入れ、該定着部の湾曲部に挿入または装着され、かつその表面には微細孔を持つこともできることをその特徴とするトルマリン容器もさらに提供する。
【００１４】
該支持フレームの翼部は、該支持フレーム両側の翼部が折りたたまれ、ヒンジ機能を持ち、それによって圧力調節機能が強化されるように設計する。
【００１５】
本鼻マスクでは、該定着部をフィルター本体（支持フレーム及びフィルター部）から独立して分離することができ、該定着部は銀などでできており、トルマリンが該定着部に対して装着されることを特徴とする。
【発明を実施するための最良の形態】
【００１６】
以下に本発明に係るアニオン放出・抗塵鼻マスクを添付図面を参照して説明する。図２は、本発明に係るアニオン放出・抗塵鼻マスクの斜視図であり、図３は、アニオン放出・抗塵鼻マスクが本発明に従ってユーザの鼻に着用されている状態を示す図である。かかる図中に示すように、鼻マスク１０は、支持フレーム２０、フィルター部３０及び定着部４０からなる。
【００１７】
支持フレーム２０は、受けポケット３１を有するフィルター部３０のリムに付着させ、翼部は、フィルター部３０が特定の圧力で鼻上部に緊接できるように適切に屈曲させる。
【００１８】
ここで、支持フレーム２０は、特定の圧力に基づいて調節可能な柔軟性を有するクロスバーを持ち、中央部のクロスバー２３は、該支持フレームの屈曲機能及び該定着部のマグネットとの吸着機能を持つ。翼部２１は、圧力調節機能を高めるためのヒンジ２２の機能によって折りたたむことができる。支持フレーム２０上に特定サイズのリムを形成し、それによって鼻を覆い、本鼻マスクの着用時には支持フレーム２０の縁部によってギャップが調整される。
【００１９】
フィルター部３０はナノファイバー不織布でできている。受けポケット３１は、フィルター部３０に対して挿入または装着される。受けポケット３１は空気を通過させる複数の微細孔３２を持つ。その微細孔３２の中に、銀繊維フィルターなどの健康補助材、及びトルマリンや芳香香料粒子を挿入して、抗菌、脱臭及びアニオン放出機能を実現する。
【００２０】
ここで、定着部４０を支持フレーム２０及びフィルター部３０と係合させ、それを鼻に装着する。この定着部４０には、左右鼻孔間壁の周囲で鼻孔に挿入される半環部４１、半環部４１の両端から下向き楕円形に湾曲して鼻深部の側面下部と接触する湾曲部４２、及び連結部４３の両端で湾曲部４２の両端から正方形に形成される溝４４、及びマグネット４５を固定する溝４４に設置されるマグネット４５が含まれる。 このマグネット４５は該溝部から着脱可能である。
【００２１】
定着部４０の湾曲部４２には、トルマリン原石ボールまたはトルマリンセラミックボール、またはトルマリン容器５０を備える。該補助容器にはトルマリン粒子などの健康補助材が含有される。
【００２２】
本発明に係る鼻マスクを、受けポケット３１を有するフィルター部３０が支持フレーム２０に係合された状態で用いる際、本鼻マスクは支持フレーム２０の翼部２１の屈曲によって生じた圧力により、鼻奥によって支持される。 この時点で、支持フレーム２０の上部分を鼻尖に位置決めする。 同部分の下側面は、上唇へこみの中間部分に位置決めする。
【００２３】
本発明では、支持フレーム２０の柔軟性及び圧力のために定着部４０がなくても本鼻マスクが鼻から滑り落ちることがなく、かくしてより容易に着用することができる。本鼻マスクを着用すると、鼻マスク１０と鼻入口間に特定の空間部が形成され、より容易な呼吸が実現される。
【００２４】
具体的には、フィルター部３０と支持フレーム２０の組み合わせ体は、該支持フレームの中心に設けられたクロスバー２３及び定着部４０に設けられたマグネット４５によって安定的に装着され、より容易な使用が実現される。すなわち、定着部４０は鼻孔に押し入れられ、左右鼻孔間の壁部には半環部４１が挿入され、湾曲部４２は鼻孔の下側面と接触する。溝４４に挿入された該マグネットは上唇の中間部分と緊密に接触し、したがって定着部４０は水平状態は維持され、フィルター部の支持フレーム２０の固定力は増強される。
【００２５】
定着部４０を鼻孔に挿入すると、受けポケット３０の下側面は上唇の中間部分に位置決めされ、上部側面は鼻尖に位置決めされる。翼部２１は、該圧力に基づいて鼻奥の両側面と緊密に接触する。加えて、第３図に示すように、空間部が鼻入口とフィルター部３０間に形成される。
【００２６】
本発明では、激しい運動による振動のために、支持フレーム２０の茎体及びフィルター部３０が鼻に沿って滑り落ちることを防止することが可能である。加えて、定着部４０は鼻に挿入され、該定着部の大部分は外部に露出されない。また該定着部は、ワイヤ細工で形成されているため、それによって鼻内側の摩擦が減少されている。したがって、一切の痛覚なしに使用することが可能である。該定着部は銀でできており、かくして抗菌機能が増強される。トルマリンを該定着部に対して取り付けることができ、その結果、アニオン放出効果を実現することが可能である。該フィルター部と該マグネットとが係合される前の状態では、該定着部を抗菌及びアニオン効果を有する独立した装置として使用することが可能である。
【００２７】
本発明では、受けポケット３０及び補助容器５０内に貯蔵される銀繊維フィルター、トルマリン及び芳香香料粒子などの健康補助材によって良好な効果を達成することが可能である。また、その性能も優れている。健康補助材に優れた良好な健康機能があることは公知のことであるので、その詳細説明は本明細書では省略する。
【産業上の利用可能性】
【００２８】
上記のように本発明では、本発明に係る鼻マスクが、その支持フレームの柔軟性によって、さまざまな鼻のサイズと型によく適応することができるという適合性を実現することが可能である。本鼻マスクの強度は、或る程度の圧力をかけることによって制御する。安定した吸着力は該クロスバーと該翼部によって高められる。より容易な呼吸を実現するために、或る程度の空間を鼻の入口部に設ける。加えて、抗菌、脱臭、アニオン放出機能などの機能は、それら各機能に対して加えられる物質によって得る。
【００２９】
本発明は、本発明の真の趣旨または基本的な特徴から逸脱することなくいくつかの形態で実施することができるので、別段の指定がない限り、上記の実施例が前述説明のいかなる詳細によっても限定されるものではなく、むしろ添付の特許請求の範囲において定義されるその真の趣旨及び範囲から逸脱することなく広義に解釈されるべきであり、したがって本特許請求の範囲内またはかかる範囲内と同等のすべての変更形態及び修正形態が添付の特許請求の範囲に包含されるべきであることが理解されるであろう。
【図面の簡単な説明】
【００３０】
【図１】従来型の鼻マスクの図。
【図２】本発明に係るアニオン放出・抗塵鼻マスクの斜視図。
【図３】アニオン放出・抗塵鼻マスクが本発明に従ってユーザの鼻に着用されている状態を示す図。
【国際調査報告】
2007520252.tif 000006
2007520252.tif 000007